(57)【要約】      （修正有）【課題】使用しない取付孔を塞ぐ際に、合わせて対応する線番表示部も隠すブランクカバーを提供する。【解決手段】スプライスユニットに光ケーブルを導入する際に使用する光アダプタ２を取り付けるための取付孔１３を閉塞するブランクカバー５は、取付孔１３を閉塞する蓋板５１と、蓋板５１の裏面に突設されて取付孔１３の対向する開口端部に係止して蓋板５１を取付孔１３に係止させる一対の爪片５２とを有し、蓋板５１は取付孔１３に加えて取付孔１３に隣接にて設けられている線番表示部Ｄを覆う線番覆い部を有する。【選択図】図２
2020194090.tif 000002
【特許請求の範囲】
【請求項１】
スプライスユニットに光ケーブルを導入する際に使用する光アダプタを取り付けるための取付孔を閉塞するブランクカバーであって、
前記取付孔を閉塞する蓋板と、
前記蓋板の背部に突設されて、前記取付孔の対向する開口端部に係止して前記蓋板を前記取付孔に係止させる一対の爪片とを有し、
前記蓋板は、前記取付孔に加えて前記取付孔に隣接して設けられている線番表示部を覆う線番覆い部を有することを特徴とするブランクカバー。
【請求項２】
前記一対の爪片は、前記蓋板の中心から左右何れか一方に偏心した位置の上下部位に形成され、
前記蓋板は、閉塞した前記取付孔に対して左右何れか一方が広く形成されて前記線番覆い部を構成していることを特徴とする請求項１記載のブランクカバー。
【請求項３】
光アダプタを取り付ける取付孔を複数備えたスプライスユニットであって、
記取付孔が形成されたアダプタ取付パネルは、前記取付孔毎に当該取付孔に隣接して前記光アダプタを介して導入する光ケーブルの線番を表示した線番表示部を有し、
使用されない前記取付孔は、請求項１又は２に記載のブランクカバーで閉塞されて成り、
前記ブランクカバーにより、前記線番表示部が隠れていることを特徴とするスプライスユニット。
【発明の詳細な説明】
【技術分野】
【０００１】
本発明はスプライスユニットに関し、詳しくは光ケーブルを導入する際に使用する光アダプタを取り付ける取付孔の処理に関する。
【背景技術】
【０００２】
光ケーブルの接続部及び余長を収容するスプライスユニットは、光ケーブルを導入する際に光アダプタが使用される。光アダプタは、光コネクタ同士を接続する部材であり、スプライスユニットにはこの光アダプタを取り付けるための取付孔が多数穿設されている。
そのため、使用しない取付孔が発生し、そのような取付孔は光アダプタの代わりにブランクカバーが取り付けられて、塵等の進入を防止した（例えば、特許文献１参照）。
【先行技術文献】
【特許文献】
【０００３】
【特許文献１】特開２００９−１３９８０２号公報
【発明の概要】
【発明が解決しようとする課題】
【０００４】
一方で、従来よりスプライスユニットの個々の取付孔には、光ケーブルの接続ミスを防止するために接続する光ケーブルの線番を表示した線番表示部が設けられている。
しかしながら、ブランクカバーにより使用しない取付孔が閉塞されても、この線番表示部は隠れなかったため、ユーザーは配線のし忘れと勘違いする場合があった。
【０００５】
そこで、本発明はこのような問題点に鑑み、使用しない取付孔を塞ぐ際に、合わせて対応する線番表示部も隠すブランクカバー、及びこのブランクカバーを取り付けたスプライスユニットを提供することを目的としている。
【課題を解決するための手段】
【０００６】
上記課題を解決する為に、請求項１の発明は、スプライスユニットに光ケーブルを導入する際に使用する光アダプタを取り付けるための取付孔を閉塞するブランクカバーであって、取付孔を閉塞する蓋板と、蓋板の背部に突設されて、取付孔の対向する開口端部に係止して蓋板を取付孔に係止させる一対の爪片とを有し、蓋板は、取付孔に加えて取付孔に隣接して設けられている線番表示部を覆う線番覆い部を有することを特徴とする。
この構成によれば、蓋板は取付孔に加えて隣接する線番表示部も覆うため、取付孔を閉塞した際に光ケーブルの線番表示を隠すことができ、ユーザに使用しない取付孔が未接続と勘違いされることが無くなる。
【０００７】
請求項２の発明は、請求項１に記載の構成において、一対の爪片は、蓋板の中心から左右何れか一方に偏心した位置の上下部位に形成され、蓋板は、閉塞した取付孔に対して左右何れか一方が広く形成されて線番覆い部を構成していることを特徴とする。
この構成によれば、取付孔を閉塞する蓋板は、無駄に大きく形成すること無く、取付孔の横に設けられた線番表示部を確実に隠すことができる。
【０００８】
請求項３の発明は、光アダプタを取り付ける取付孔を複数備えたスプライスユニットであって、取付孔が形成されたアダプタ取付パネルは、取付孔毎に当該取付孔に隣接して光アダプタを介して導入する光ケーブルの線番を表示した線番表示部を有し、使用されない取付孔は、請求項１又は２に記載のブランクカバーで閉塞されて成り、ブランクカバーにより、線番表示部が隠れていることを特徴とする。
この構成によれば、取付孔に取り付けられたブランクカバーにより、閉塞された取付孔の線番表示部も隠れているため、ユーザが使用されない取付孔を施工未完了と勘違いすることがない。
【発明の効果】
【０００９】
本発明によれば、ブランクカバーの蓋板は取付孔に加えて隣接する線番表示部も覆うため、スプライスユニットの取付孔を閉塞した際に光ケーブルの線番表示を隠すことができ、ユーザに使用しない取付孔が未接続と勘違いされることが無くなる。
【図面の簡単な説明】
【００１０】
【図１】本発明に係るスプライスユニットの一例を示す説明図である。
【図２】Ａ部拡大図であり、ブランクカバーの取付説明図である。
【図３】ブランクカバーの背面側からの斜視図である。
【図４】ブランクカバーの装着状態を示す側面説明図である。
【発明を実施するための形態】
【００１１】
以下、本発明を具体化した実施の形態を、図面を参照して詳細に説明する。図１は本発明に係るスプライスユニットの一例を示す説明図であり、カバーを外した斜視図を示している。スプライスユニット１はラックに組み付けるユニットとして形成され、前面の左右にラックマウント部１１を備えている。
そして、前面に光アダプタ２を取り付けるための取付孔１３が複数穿設されたアダプタ取付パネル１２が配置され、５は使用されない取付孔１３に取り付けられたブランクカバーである。
尚、光アダプタ２は、図示しない光ケーブルをスプライスユニット１内に導入する際に、光ケーブル同士を接続する部材である。また、３は光ケーブルの融着部を収容する融着トレイである。
【００１２】
図２はＡ部拡大図であり、ブランクカバーの取付説明図である。図２に示すように取付孔１３は光アダプタ２の形状に合わせて縦長に形成されている。そして、取付孔１３に隣接する左側には線番表示部Ｄが設けられ、接続する光ケーブルの線番が表示されている。
一方、ブランクカバー５は、取付孔１３を閉塞する蓋板５１と、その背部に形成さて取付孔１３に係止する一対の爪片５２とを有している。爪片５２が取付孔１３に係止してブランクカバー５は取付孔１３に固定される。
【００１３】
図３はブランクカバー５の背面側からの斜視図であり、図３に示すように爪片５２は、蓋板５１の上下端部から後方に突出して形成され、上下方向に弾性を有するよう形成されている。穿設された取付孔１３の上辺及び下辺に係止するよう係止段部５２ａが形成されている。
また、上下の爪片５２の間には、取付孔１３の形状に合わせて突起枠５３が形成され、ブランクカバー５が取付孔１３に取り付けられた際に、取付孔１３に収容され、ブランクカバー５が位置決めされる。
【００１４】
更に、爪片５２は蓋板５１の中央から右に偏心した位置に形成され、蓋板５１は爪片５２の左側に対して右側が広く形成されている。即ち、取付孔１３を閉塞した際にその左側を広く覆うよう形成されている。
この広く覆う部位が線番表示部Ｄを隠す線番覆い部Ｅを形成している。
【００１５】
ブランクカバー５の取り付けは、アダプタ取付パネル１２の前方からの取付孔１３へ圧入操作することで、取付孔１３に爪片５２が弾性変形して入り込み、挿入が完了すると爪片５２の係止段部５２ａが取付孔１３の開口端部である上辺及び下辺に係止して固定される。
図４は、こうしてブランクカバー５をアダプタ取付パネル１２に取り付けた状態を示す説明図であり、側面図を示している。図４に示すように、取付孔１３の上下の辺に爪片５２が係止して閉塞される。そして、その際取付孔１３に入り込んだ突起枠５３により位置決めが成されて、ブランクカバー５の横移動が禁止される。
一方、装着されたブランクカバー５の取り外しは、スプライスユニット１の外側から蓋板５１を引っ張ることで爪片５２を係止解除方向へ弾性変形させて係止段部５２ａの係止を解除させれば良い。
【００１６】
このように、ブランクカバー５の蓋板５１は取付孔１３に加えて隣接する線番表示部Ｄも覆うため、取付孔１３を閉塞した際に光ケーブルの線番表示部Ｄを隠すことができ、ユーザに使用しない取付孔１３が未接続と勘違いされることが無くなる。
また、爪片５２は蓋板５１の右側に偏心させて配置し、左側に線番表示部Ｄを隠す線番覆い部Ｅを形成するため、蓋板５１は無駄に大きく形成すること無く、取付孔１３の横に設けられた線番表示部Ｄを確実に隠すことができる。
【００１７】
尚、上記実施形態のブランクカバー５は、爪片５２を蓋板５１の右側に偏心させた位置に形成しているが、線番表示部Ｄが取付孔１３の右側に設けられている場合は、左側に偏心させて形成される。
【符号の説明】
【００１８】
１・・スプライスユニット、２・・光アダプタ、５・・ブランクカバー、１２・・アダプタ取付パネル、５１・・蓋板、５２・・爪片、５２ａ・・係止段部、５３・・突起枠、Ｄ・・線番表示部、Ｅ・・線番覆い部。
【図１】
2020194090.tif 000003
【図２】
2020194090.tif 000004
【図３】
2020194090.tif 000005
【図４】
2020194090.tif 000006